(57)【特許請求の範囲】
【請求項１】
扱胴に対して直交する処理胴を二番揚穀筒の上方に横設し、扱室の下方に配置させて２番物を処理し揺動選別体上に還元する脱穀機の二番処理装置において、二番還元軸（５６）から動力を伝達する入力軸（２）に処理胴（７）と一体構造にした支持軸（３）を連結させた処理胴軸（１）を形成し、扱室（８）側に向けて機体側板（４２）に継設した処理室外筒（６０）内に該処理胴（７）を装着して、処理胴軸（１）の終端を該処理室外筒（６０）に螺着した軸受（６１）で支持し、該処理胴軸（１）を分割した前記入力軸（２）の軸端から支持軸（３）を離脱させ、前記処理室外筒（６０）に対して処理胴（７）を扱室（８）側から嵌脱する構成にしたことを特徴とする脱穀機の二番処理装置。
【請求項２】
二番揚穀筒（５）と処理室（６）が連通する導入口（１２）を壁板（１１）に開口し、二番還元軸（５６）を支持する受継ぎケース（１０）と処理室（６）を連結する接続面（１５）に沿って前記壁板（１１）を挿脱自在に装着し、該接続面（１５）を開放可能に構成したことを特徴とする請求項１に記載した脱穀機の二番処理装置。
【発明の詳細な説明】
【０００１】
【発明の属する技術分野】
未処理物を分離回収して選別部に還元する搬送経路に処理装置を設け、点検整備を行うオープン機能を装備した脱穀機の二番処理装置に関するものである。
【０００２】
【従来の技術】
従来、上扱き方式の扱胴に並設した処理胴をフィードチェン側に設け、後端で支持した側壁とともに機体後方に挿脱するものが実開昭６１−１５２２３７号公報に記載され公知技術となっている。一方、下扱き方式の扱室後端と連通させた処理室において、処理胴軸を嵌脱できる接続構造にして処理胴を支持した後壁とともに、処理室後方に取出す構成にしたものが特開平０６−２７６８３５号公報に開示され処理胴を脱着する技術が知られている。又、還元コンベヤの前端部に左右に伸延する二番物用処理胴の右端部を連通させ、左右に軸芯を有する処理胴を揺動本体上方に横架し、胴本体の終端部に板状の羽体を半径方向に突設させ、その位置から後方向に落下口を開口して未処理物を揺動本体の左端部上に排出するものが特開平１１−３３２３６９号公報に記載されている。しかし、何れも処理胴を抜取る方向が開放された機外であって、本発明は二番揚穀筒に連結した処理装置を扱室内に向けて横設し、揺動選別体上に２番物を還元する二番処理装置にしてあって、機体側板に継設した処理室外筒内に装着した処理胴を扱室側から嵌脱し、点検整備を脱穀機内で行ったり、該処理胴を装着した状態のまま接続面を開放可能にして点検整備が行える構成にしたものである。
【０００３】
【発明が解決しようとする課題】
二番揚穀筒に連結した処理装置を扱室内に向けて設置し、揺動選別体上に２番物を還元しても詰りや搬送異常の発生に対し、オープン構造の処理室で点検整備が実施できる二番処理装置の提供を目的とするものである。
【０００４】
【課題を解決するための手段】
このような目的を達成するため二番揚穀筒に連結した処理装置を扱室の下方に臨ませ扱胴と直交するように横設し、処理室の接続面を開放したり処理胴を嵌脱して扱室側から点検整備を実施する構成にしたものである。
【０００５】
扱胴に対して直交する処理胴を二番揚穀筒の上方に横設し、扱室の下方に配置させて２番物を処理し揺動選別体上に還元する脱穀機の二番処理装置において、二番還元軸から動力を伝達する入力軸に処理胴と一体構造にした支持軸を連結させた処理胴軸を形成し、扱室側に向けて機体側板に継設した処理室外筒内に該処理胴を装着して、処理胴軸の終端を処理室外筒に螺着した軸受で支持し、該処理胴軸を分割した前記入力軸の軸端から支持軸を離脱させ、前記処理室外筒に対して処理胴を扱室側から嵌脱する手段を講じた。
【０００６】
二番揚穀筒と処理室が連通する導入口を壁板に開口し、二番還元軸を支持する受継ぎケースと処理室を連結する接続面に沿って前記壁板を挿脱自在に装着し、該接続面を開放可能に構成して点検整備を実施する手段を講じた。
【０００７】
扱室に周設した受け網を取り外し、処理胴を扱室側から嵌脱自在にして揺動選別体上で点検整備を行う手段を講じた。
【０００８】
処理胴を装架する処理室外筒の始端側に開閉自在の切替え弁を設け、処理室を通過する処理作用と始端側で排出して非処理作用にする切替え構造構成にし、損傷粒の発生を防ぐ手段を講じた。
【０００９】
【発明実施の形態】
【実施例】
本発明による未処理物を処理しながら選別部に還元する二番処理装置について、コンバインに搭載した脱穀部Ｂの実施例図を参照に説明すると、図５は二番処理装置に処理部を設けたコンバインの側面図であって、左右一対のクローラ走行装置２０に支持された機台２１上に脱穀部Ｂを搭載し、前方に昇降自在の刈取部Ａを装着して刈高さ調節を行ないながら分草板２４で傾倒穀稈を浮揚させ、刈刃２２で切断して後方に連設する揚上搬送装置２３で前記脱穀部Ｂに張設したフィードチェン２５の始端側に受継がせ、扱室８に装架した扱胴２７によって脱粒処理を行い、周設した受け網１７から扱卸物が揺動選別体３０上に落下するものであって、前後方向に揺動するチャフシーブ３１等で篩選別をして穀粒を分離しながら下方に併設した選別部Ｃに誘導し、矢印イ方向の選別風で塵埃を分別した良穀粒を機外に取り出し回収するようにしたコンバインの形態である。
【００１０】
脱穀した扱卸物の選別経路は、扱室８で発生した穀粒と未処理物が受け網１７から漏下して扱卸物となり、前後に揺動運動をする揺動選別体３０上に落下して篩選別を受けながら下手側に連設したチャフシーブ３１の始端側に送穀して、主に単粒化した穀粒を分離しながら一番回収域３３に集穀する経路と、一方枝梗付着粒と少量の単粒が混合する還元物を後方に配置した二番回収域３５に落下させて回収する経路に分別してあり、藁屑等の塵埃は選別部Ｃの前方に設けたファン３６の選別風によって矢印イ方向に吹き飛ばし、機体の後方に配設する吸引ファン３７で吸塵して機外に排出する選別経路にしたものである。
【００１１】
選別部Ｃで分離した良穀粒は、一番コンベア４０で機外に取り出し機台２１の右側に並設したグレンタンク４３に一時貯留するが、前述した枝梗付着粒の多くは未処理物となって二番コンベア４１で集穀され、機体外側板４２に斜設した二番揚穀筒５の下方と連結し、その上方には扱胴２７に対して直交する処理部３２を装着させて枝梗付着粒を処理し、揺動選別体３０上に還元物を放出する二番処理装置にしたものである。
【００１２】
図１は処理装置の要部断面図であって、処理胴７を分離する構成について説明すると、二番還元軸５６を支持する受継ぎケース１０内に一対のベベルギア５５を噛合させ、直交する入力軸２に動力を伝達するとともに軸端のスプライン溝５７が処理胴ボス５８に嵌着し、処理胴７と一体構造の支持軸３と連結して処理胴軸１を形成したものであって、その終端側を処理室外筒６０に装着した軸受け６１で回転自在に支持し、複数植設した処理歯６２を回転させて未処理物を脱粒する処理装置にしてある。このような処理胴軸１の分割構造によって前記処理胴７を嵌脱自在の構成にしたものである。
【００１３】
図１の要部断面図と図２の受継ぎ部を示す側面図で処理室外筒の取付け構造を説明すると、処理室外筒６０の断面形状を機体外側板４２に開設し、外周に沿った取付枠６３を前記処理室外筒６０に溶着して、処理室６を扱室８側に向けて前記機体側板４２に継設してある。一方、受継ぎケース１０との接続面１５に添設させた壁板１１に前記受継ぎケース１０と連通する導入口１２と、斜線で図示した掃除口１３を各々開口させ、前記処理室外筒６０の端面に立設する縁立部６６を接続ボルト６５で螺着し、二番揚穀筒５に直交する前記処理室６と一体化させた処理装置にしたものである。
【００１４】
処理胴７を分離して壁板１１を抜取る手順を説明すると、先ず受継ぎケース１０の外蓋５３を外して矢印ロ方向に入力軸２とともに抜取り、スプライン溝５７に嵌挿したベベルギア５５とガイドリンク６７をベアリング６８で支持して、抜取り前の姿勢を保持する構成にしてある。このように入力軸２を分離した後に前記受継ぎケース１０と処理胴７を連結してある接続ボルト６５を脱着させ、一枚板で成形した前記壁板１１を分断した処理胴軸１を通過させ、接続面１５に沿った矢印ハ方向の挿脱を可能にしたので、接続する前面が開放されて処理室６内の点検整備を実施し易くする構成にしたものである。
【００１５】
図３は、二番揚穀筒に連結した処理装置の斜視図であって、図２の要部側面図を併用して装着された外観を説明すると、段差形状の機体外側板４２に処理室外筒６０を嵌挿させ、接当する外周面に取付枠６３を溶着して固定ボルト７０で二番揚穀筒５に対して直交するように締結したものである。又、前記処理室外筒６０の外端面を塞いだ壁板１１に掃除口１３を開口し、掃除蓋７１を脱着自在に蝶ボルト７４で装着して異常発生時の確認窓として活用する点検整備の第一手段である。次のステップは、処理室６内の詰りを除去する操作であって、前述したように入力軸２を外蓋５３とともに抜取り前記壁板１１を挿脱するために、受継ぎケース１０と前記処理室外筒６０を接続ボルト６５で螺着してあり、脱着によって前記接続面１５が開放されて異物の除去を行う点検整備の第二手段にしたものである。
【００１６】
図４は、処理室と扱室の配置を示す正面図であって、扱室側に処理胴６を抜取る手順を説明すると、扱室８を形成する受け網１７を分割して網枠７２ａ、７２ｂに各々張設し、鎖線位置に図示する矢印ホ方向に抜差し自在に装着してあり、上部フレーム７３に設けた回動支点Ｐからアーム７５を延設して扱胴２７を支持し、フィードチェン２５と係合する藁押え台９５とともに可動枠に装着して矢印ニ方向に上昇させ、前記扱室８内に生じる詰り等の異常現象に対処させるオープン構造にしたものである。このように扱室８側が開放することで処理胴７の嵌脱をこの空間部から行い、詰りの除去や修理をする点検整備の第三手段にしたものである。
【００１７】
処理胴７の取出し手順は、扱胴２７と網枠７２ａ、７２ｂを開放した後、処理室外筒６０の終端側に設けた軸受け６１の締結ボルト７６を外し、支持軸３と一体構造の処理胴７を矢印ヘ方向に抜き取り、入力軸２の軸端から処理胴ボス５８を離脱させて揺動選別体３０上で塵埃の除去を行うものであって、混在する穀粒が機外に散乱することが防止される一方、機外に取出して部品交換等の点検整備を行い易くした構成である。
【００１８】
図６は二番還元装置の別途実施例を示す断面図であって、図７の正面図を併用して切替え弁と分散翼の構造を説明すると、無孔で形成した処理室外筒６０の始端側に開閉自在の切替え弁８１を装備し、処理室６を通過する処理作用と始端側を開口させて排出する非処理作用にした切替え構造にしてあり、底面部を開口して両側に挿通させた弁棒８３を前記処理室外筒６０の前方に設け、固着した切替え弁８１の回動中心にするとともにその軸端にレバー８５を連設し、機体側方から開閉操作をするワイヤー８６に連結した調節構造（図示を省略）にしたものである。
【００１９】
開閉操作をするには、先述するワイヤー８６を押引きすることによって常時閉方向に作用する引張りバネ８７が伸張し、矢印ナ方向に切替え弁８１が開口して揺動選別体３０の内側向きに還元物を誘導し、処理室６を通過する前に排出して処理歯６２の衝撃を回避することから裂皮し易い品種等の穀粒損傷を防ぎ、しかも選別幅の中央付近に向って流下するので、選別異常となる堆積物の片寄りを減少させた切替え構造にしたものである。又、前記処理室６内の残粒を除去する掃除口にも活用でき混種の防止や清掃が行える別途実施例の構成である。
【００２０】
還元物の拡散を助長する分散翼８２を装備した実施例の構造は、処理室外筒６０の両側に締結したレベリングケース８８で処理胴軸１の軸端を支持するとともに、揺動選別体３０上に近設させた分散翼８２に動力を伝達するために減速ベベルギア９０を設け、垂下させた駆動ケース９１を介して矢印リ方向の回転をさせる駆動構造にし、前記処理室６の終端から落粒する処理物と受け網１７から漏下した扱卸物の双方を拡散させ、連設するチャフシーブ３１に均等供給して篩選別を行う構成にした別途実施例である。尚、９２は前記揺動選別体３０の始端側に張設したフィードパンであって、表面を波状に成形して前後の揺動運動で下手側に送穀する構成にしたものである。
【００２１】
【発明の効果】
以上説明したように二番揚穀筒と直交する処理室を受け網の下方に臨ませ、処理胴を嵌脱自在に装着する二番処理装置の構成にしたので、以下に掲げるような効果を発揮するものである。
【００２２】
扱胴に対して直交する処理胴を二番揚穀筒の上方に横設し、扱室の下方に配置させて２番物を処理し揺動選別体上に還元する脱穀機の二番処理装置において、二番還元軸から動力を伝達する入力軸に処理胴と一体構造にした支持軸を連結させた処理胴軸を形成し、扱室側に向けて機体側板に継設した処理室外筒内に該処理胴を装着して、処理胴軸の終端を処理室外筒に螺着した軸受で支持し、該処理胴軸を分割した前記入力軸の軸端から支持軸を離脱させ、前記処理室外筒に対して処理胴を扱室側から嵌脱する構成にしたので、詰り等の異常現象に応じた点検整備の方法が選択でき、処理室に混在する穀粒や塵埃が機外に散乱することが防止され点検整備が行い易くなった。
【００２３】
二番揚穀筒と処理室が連通する導入口を壁板に開口し、二番還元軸を支持する受継ぎケースと処理室を連結する接続面に沿って前記壁板を挿脱自在に装着し、該接続面を開放可能に構成したので、点検整備をする処理室の前面が広く開口され詰り等の掃除を外側から行い易くなった。
【００２４】
扱室に周設した受け網を取り外し、処理胴を扱室側から嵌脱自在にして揺動選別体上で点検整備が実施できるので、穀粒や塵埃が機外に散乱することを防止するとともに、二番揚穀筒と処理室を装着したまま処理胴の抜差しができ、部品交換や補修作業が行い易くなった。
【００２５】
処理胴を装架する処理室外筒の始端側に開閉自在の切替え弁を設け、処理室を通過する処理作用と始端側で排出する非処理作用に切替える構成にしたので、品種間や処理量の増加で生じ易い裂皮を防止し、仕上がり穀粒の損傷粒が減少して品質が向上した。
【図面の簡単な説明】
【図１】二番処理装置の要部断面図である。
【図２】受継ぎ部を示す側面図である。
【図３】二番揚穀筒に連結した処理装置に斜視図である。
【図４】処理室と扱室の配置を示す正面図である。
【図５】二番処理装置に処理部を設けたコンバインの側面図である。
【図６】二番処理装置の別途実施例を示す断面図である。
【図７】二番処理装置の別途実施例を示す正面図である。
【符号の説明】
Ｂ・・脱穀部            Ｃ・・選別部            Ｐ・・回動支点
１・・処理胴軸          ２・・入力軸            ３・・支持軸
５・・二番揚穀筒        ６・・処理室            ８・・扱室
１０・・受継ぎケース    １１・・壁板            １２・・導入口
１３・・掃除口          １５・・接続面          １７・・受け網
１７・・受け歯          １８・・開放口          １９・・跳出し羽根
２５・・フィードチェン  ２７・・扱胴            ３０・・揺動選別体
３１・・チャフシーブ    ３２・・処理部          ３３・・一番回収域
３５・・二番回収域      ３６・・ファン          ３７・・吸引ファン
４０・・一番コンベア    ４１・・二番コンベア    ５３・・外蓋
５５・・べベルギア      ５６・・二番還元軸      ５７・・スプライン溝
５８・・処理胴ボス      ６０・・処理室外筒      ６１・・軸受け
６３・・取付枠          ６５・・接続ボルト      ６６・・縁立部
６８・・ベアリング      ７０・・固定ボルト      ７１・・掃除蓋
７２・・網枠            ７３・・上部フレーム    ７４・・蝶ボルト
７５・・アーム          ７６・・締結ボルト      ８１・・切替え弁
８５・・レバー          ８６・・ワイヤー        ８７・・引張りバネ
矢印（イ）・・選別部の風向
矢印（ロ）・・入力軸の抜取り方向
矢印（ハ）・・壁板の抜取り方向
矢印（ニ）・・扱胴の上昇方向
矢印（ホ）・・網枠の抜取り方向
矢印（ヘ）・・処理胴の抜取り方向
矢印（ナ）・・切替え弁の開方向
【図１】
0003822835.tif 000002
【図２】
0003822835.tif 000003
【図３】
0003822835.tif 000004
【図４】
0003822835.tif 000005
【図５】
0003822835.tif 000006
【図６】
0003822835.tif 000007
【図７】
0003822835.tif 000008